(57)【要約】【課題】利用者に所望のエリア近郊の喫煙場所を簡単に通知できる喫煙場所通知システムを提供する。【解決手段】地図データベース３と、操作部１２、表示部１４およびブラウザ１８を備えるユーザ端末１０と、地図２２上の所定位置にマーカ２４を表示するための位置情報を含むウェブページ２０を記憶するウェブサーバ３０と、を備え、地図データベース３にアクセスし、地図２２をユーザ端末１０に動的に提供する地図情報提供システム５０を用いた喫煙場所通知システム１であって、ウェブサーバ３０は、地図２２上の所定位置として、複数の喫煙場所にマーカ２４を表示するための位置情報を含むウェブページ２０を記憶し、ユーザ端末１０において、表示部１４にブラウザ１８がウェブページ２０を表示したとき、地図情報提供システム５０から動的に提供される地図２２および、該地図２２上に複数の喫煙場所を示すマーカ２４を含んで表示する。【選択図】図１
2008064932.tif 000002
【特許請求の範囲】
【請求項１】
地図データベースと、
ユーザが操作する操作部、表示部および前記表示部によりウェブページを閲覧するウェブブラウザを備えるユーザ端末と、
地図上の所定位置にマーカを表示するための位置情報を含むウェブページを記憶するウェブサーバと、を備え、
前記地図データベースにアクセスし、前記ウェブページに含まれる所定領域の地図を前記ユーザ端末にネットワークを介して動的に提供する地図情報提供システムを用いた喫煙場所通知システムであって、
前記ウェブサーバは、前記地図上の所定位置として、複数の喫煙場所に前記マーカを表示するための位置情報を含む前記ウェブページを記憶し、
前記ユーザ端末において、前記表示部に前記ウェブブラウザが前記ウェブページを表示したとき、前記地図情報提供システムから動的に提供される所定領域の前記地図、および該地図上に複数の前記喫煙場所を示す前記マーカを含んで表示することを特徴とする喫煙場所通知システム。
【請求項２】
請求項１に記載の喫煙場所通知システムにおいて、
前記ウェブサーバは、前記喫煙場所を撮影したマルチメディアデータを含む詳細情報を、記憶するマルチメディアデータ記憶部を含み、
前記ウェブページは、前記喫煙場所のマルチメディアデータを含む詳細情報を、対応する前記マーカに関連付けて表示するための記述を含み、
前記ユーザ端末において、前記表示部に前記ウェブブラウザが前記ウェブページを表示したとき、前記地図上に表示された前記マーカを前記ユーザが前記操作部を用いて操作すると、対応する前記喫煙場所のマルチメディアデータを含む詳細情報を表示することを特徴とする喫煙場所通知システム。
【請求項３】
請求項１または２に記載の喫煙場所通知システムにおいて、
前記ウェブページは、前記喫煙場所の情報を対応する前記マーカに関連付けて表示するための記述を含み、
前記ユーザ端末において、前記表示部に前記ウェブブラウザが前記ウェブページを表示したとき、前記地図上に示された前記マーカを前記ユーザが前記操作部を用いて操作すると、対応する前記喫煙場所の情報を表示することを特徴とする喫煙場所通知システム。
【請求項４】
請求項１乃至３いずれかに記載の喫煙場所通知システムにおいて、
前記ウェブページは、所定のランドマークの指定を受け付けるための記述を含み、
前記地図情報提供システムは、前記ユーザ端末において前記ランドマークが指定されたとき、前記指定されたランドマークに該当する領域の地図を前記地図データベースから検索する検索部を含み、
前記地図情報提供システムは、前記検索された前記地図を含むウェブページを前記ユーザ端末に提供することを特徴とする喫煙場所通知システム。
【請求項５】
請求項１乃至３いずれかに記載の喫煙場所通知システムにおいて、
前記ウェブページは、前記複数の喫煙場所を検索するためのキーワードの入力を受け付けるための記述を含み、
前記地図情報提供システムは、前記ユーザ端末において前記ユーザが前記操作部を用いて前記キーワードを入力したとき、前記入力されたキーワードに基づいて該当する領域の地図を前記地図データベースから検索する検索部を含み、
前記地図情報提供システムは、前記検索された前記地図を含むウェブページを前記ユーザ端末に提供することを特徴とする喫煙場所通知システム。
【請求項６】
請求項１乃至５いずれかに記載の喫煙場所通知システムにおいて、
前記ユーザ端末の前記ウェブブラウザは、ＪａｖａＳｃｒｉｐｔのようなプログラムコードを解析および実行可能な処理機構を有することを特徴とする喫煙場所通知システム。
【請求項７】
請求項６に記載の喫煙場所通知システムにおいて、
前記地図情報提供システムは、前記地図を動的に操作可能に制御する複数の関数を提供し、
前記ウェブページは、前記複数の関数を利用して作成されることを特徴とする喫煙場所通知システム。
【請求項８】
請求項１乃至７いずれかに記載の喫煙場所通知システムにおいて、
前記喫煙場所は、街頭の喫煙スペース、および喫煙可能飲食店を含むことを特徴とする喫煙場所通知システム。
【請求項９】
地図データベースと、
ユーザが操作する操作部、表示部および前記表示部によりウェブページを閲覧するウェブブラウザを備えるユーザ端末と、
地図上の所定位置にマーカを表示するための位置情報を含むウェブページを記憶するウェブサーバと、を備え、
前記地図データベースにアクセスし、所定領域の地図を含む前記ウェブページを前記ユーザ端末にネットワークを介して動的に提供する地図情報提供システムを用いた喫煙場所通知方法であって、
前記ウェブサーバが、前記地図上の所定位置として、複数の喫煙場所に前記マーカを表示するための位置情報を含む前記ウェブページを記憶し、
前記ユーザ端末から指定された所定領域の前記地図を含む前記ウェブページを前記ユーザ端末に提供し、
前記ユーザ端末において、前記表示部に前記ウェブブラウザが前記ウェブページを表示したとき、前記地図情報提供システムから動的に提供される所定領域の前記地図、および該地図上に複数の前記喫煙場所を示す前記マーカを含んで表示することを特徴とする喫煙場所通知方法。
【請求項１０】
請求項９に記載の喫煙場所通知方法において、
前記ウェブサーバは、前記喫煙場所を撮影したマルチメディアデータを含む詳細情報を、マルチメディアデータ記憶部に記憶し、
前記ウェブページに、前記喫煙場所のマルチメディアデータを含む詳細情報を、対応する前記マーカに関連付けて表示するための記述を挿入し、
前記ユーザ端末において、前記表示部に前記ウェブブラウザが前記ウェブページを表示したとき、前記地図上に表示された前記マーカを前記ユーザが前記操作部を用いて操作すると、対応する前記喫煙場所のマルチメディアデータを含む詳細情報を表示することを特徴とする喫煙場所通知方法。
【請求項１１】
請求項９または１０に記載の喫煙場所通知方法において、
前記ウェブページに、前記喫煙場所の情報を対応する前記マーカに関連付けて表示するための記述を挿入し、
前記ユーザ端末において、前記表示部に前記ウェブブラウザが前記ウェブページを表示したとき、前記地図上に示された前記マーカを前記ユーザが前記操作部を用いて操作すると、対応する前記喫煙場所の情報を表示することを特徴とする喫煙場所通知方法。
【請求項１２】
請求項９乃至１１いずれかに記載の喫煙場所通知方法において、
前記ウェブページに、所定のランドマークの指定を受け付けるための記述を挿入し、
前記ウェブサーバが、前記ユーザ端末において前記ランドマークが指定されたとき、前記指定されたランドマークに該当する領域の地図を前記地図データベースから検索し、
前記ウェブサーバが、前記検索された前記地図を含むウェブページを前記ユーザ端末に提供することを特徴とする喫煙場所通知方法。
【請求項１３】
請求項９乃至１１いずれかに記載の喫煙場所通知方法において、
前記ウェブページに、前記複数の喫煙場所を検索するためのキーワードの入力を受け付けるための記述を挿入し、
前記ウェブサーバが、前記ユーザ端末において前記ユーザが前記操作部を用いて前記キーワードを入力したとき、前記入力されたキーワードに基づいて該当する領域の地図を前記地図データベースから検索し、
前記ウェブサーバが、前記検索された前記地図を含むウェブページを前記ユーザ端末に提供することを特徴とする喫煙場所通知方法。
【請求項１４】
請求項９乃至１３いずれかに記載の喫煙場所通知方法において、
前記ユーザ端末の前記ウェブブラウザは、ＪａｖａＳｃｒｉｐｔのようなプログラムコードを解析および実行可能な処理機構を有することを特徴とする喫煙場所通知方法。
【請求項１５】
請求項１４に記載の喫煙場所通知方法において、
前記地図情報提供システムは、前記地図を動的に操作可能に制御する複数の関数を提供し、
前記ウェブページは、前記複数の関数を利用して作成されることを特徴とする喫煙場所通知方法。
【請求項１６】
請求項９乃至１５いずれかに記載の喫煙場所通知方法において、
前記喫煙場所は、街頭の喫煙スペース、および喫煙可能飲食店を含むことを特徴とする喫煙場所通知方法。
【発明の詳細な説明】
【技術分野】
【０００１】
本発明は、喫煙場所通知システムおよび喫煙場所通知方法に関し、特に、地図情報提供システムを用いた喫煙場所通知システムおよび喫煙場所通知方法に関する。
【背景技術】
【０００２】
近年、行政を含めて繁華街における喫煙環境の制限は日増しにその厳しさを増している。禁煙エリアの拡大、歩行禁煙禁止条例の制定などが増加する中で、愛煙家のための喫煙エリアとして、街頭などに喫煙場所が設置されている。
【０００３】
従来、喫煙の有無による喫煙可能または禁煙指定の飲食店などを検索し、ナビゲーションする車両用ナビゲーション装置などがある。従来の車両用ナビゲーション装置としては、たとえば特許文献１に記載されたものがある。同文献に記載されたナビゲーション装置は、車内状況を検知して、状況に応じてユーザが必要とする目的地情報を検索する。たとえば、ユーザの喫煙の有無を検出し、喫煙者がいないと判断した場合、禁煙の飲食店の検索を行うことができる。
【特許文献１】特開２００５−１００３５号公報
【発明の開示】
【発明が解決しようとする課題】
【０００４】
しかしながら、車利用ではなく、徒歩、鉄道や地下鉄などの交通機関を利用する場合、喫煙可能な場所がどこに存在しているかを愛煙者に効果的に通知するのは難しく、せっかく設けた喫煙場所も利用効率が低下してしまう可能性がある。また、愛煙家から行政に対する喫煙場所の問合せも日増しに増えており、その対応に人件費などがかかるなど対策が必要となってきている。
【０００５】
本発明は上記事情に鑑みてなされたものであり、その目的とするところは、利用者に所望のエリア近郊の喫煙場所を簡単に通知でき、喫煙場所の利用効率を向上させるとともに、問合せに対する応対の手間を削減することができる喫煙場所通知システムを提供することにある。
【課題を解決するための手段】
【０００６】
本発明によれば、地図データベースと、
ユーザが操作する操作部、表示部および前記表示部によりウェブページを閲覧するウェブブラウザを備えるユーザ端末と、
地図上の所定位置にマーカを表示するための位置情報を含むウェブページを記憶するウェブサーバと、を備え、
前記地図データベースにアクセスし、前記ウェブページに含まれる所定領域の地図を前記ユーザ端末にネットワークを介して動的に提供する地図情報提供システムを用いた喫煙場所通知システムであって、
前記ウェブサーバは、前記地図上の所定位置として、複数の喫煙場所に前記マーカを表示するための位置情報を含む前記ウェブページを記憶し、
前記ユーザ端末において、前記表示部に前記ウェブブラウザが前記ウェブページを表示したとき、前記地図情報提供システムから動的に提供される所定領域の前記地図、および該地図上に複数の前記喫煙場所を示す前記マーカを含んで表示することを特徴とする喫煙場所通知システムが提供される。
【０００７】
ここで、マーカとは、地図上に喫煙場所を示すために表示される印であり、旗やピン、バルーンなど任意の形状、地図上の位置を指す指示部（旗の棒やピンの先など）とマーカを地図上で認識させるための形状（旗やピンの頭）を含む形状で示される。
【０００８】
この発明によれば、動的に表示される地図上に喫煙場所を示すマーカを表示させるコンテンツを容易にウェブ上で公開することができ、利用者に所望のエリア近郊の喫煙場所を簡単に通知でき、喫煙場所の利用効率を向上させるとともに、問合せに対する応対の手間を削減することができる。
【０００９】
上記喫煙場所通知システムにおいて、前記ウェブサーバは、前記喫煙場所を撮影したマルチメディアデータを含む詳細情報を記憶するマルチメディアデータ記憶部を含むことができ、前記ウェブページは、前記喫煙場所のマルチメディアデータを含む詳細情報を、対応する前記マーカに関連付けて表示するための記述を含むことができ、前記ユーザ端末において、前記表示部に前記ウェブブラウザが前記ウェブページを表示したとき、前記地図上に表示された前記マーカを前記ユーザが前記操作部を用いて操作すると、対応する前記喫煙場所のマルチメディアデータを含む詳細情報を表示することができる。
【００１０】
この構成によれば、ウェブページの地図上に表示されたマーカを操作すると、喫煙場所のマルチメディアデータを含む詳細情報が表示されるので、目印となる建物などを含むように撮影されたマルチメディアデータを用いれば、未知の喫煙場所であってもユーザが喫煙場所にたどり着き易くなる。
【００１１】
上記喫煙場所通知システムにおいて、前記ウェブページは、前記喫煙場所の情報を対応する前記マーカに関連付けて表示するための記述を含むことができ、前記ユーザ端末において、前記表示部に前記ウェブブラウザが前記ウェブページを表示したとき、前記地図上に示された前記マーカを前記ユーザが前記操作部を用いて操作すると、対応する前記喫煙場所の情報を表示することができる。
【００１２】
この構成によれば、喫煙場所の情報、たとえば、名称、アクセス方法、最寄り駅情報、喫煙場所が飲食店内などである場合、喫煙可能時間、あるいは開店閉店時刻、飲食店のホームページのＵＲＬアドレスなどをウェブページに表示させることができる。
【００１３】
上記喫煙場所通知システムにおいて、前記ウェブページは、所定のランドマークの指定を受け付けるための記述を含むことができ、前記地図情報提供システムは、前記ユーザ端末において前記ランドマークが指定されたとき、前記指定されたランドマークに該当する領域の地図を前記地図データベースから検索する検索部を含むことができ、前記地図情報提供システムは、前記検索された前記地図を含むウェブページを前記ユーザ端末に提供することができる。
【００１４】
この構成によれば、目印となる最寄り駅や施設、店舗、地名、地形などをランドマークとして、喫煙場所を検索することができる。
【００１５】
上記喫煙場所通知システムにおいて、前記ウェブページは、前記複数の喫煙場所を検索するためのキーワードの入力を受け付けるための記述を含むことができ、前記地図情報提供システムは、前記ユーザ端末において前記ユーザが前記操作部を用いて前記キーワードを入力したとき、前記入力されたキーワードに基づいて該当する領域の地図を前記地図データベースから検索する検索部を含むことができ、前記地図情報提供システムは、前記検索された前記地図を含むウェブページを前記ユーザ端末に提供することができる。
この構成によれば、任意のキーワードに基づいて、喫煙場所を検索することができる。
【００１６】
上記喫煙場所通知システムにおいて、前記ユーザ端末の前記ウェブブラウザは、ＪａｖａＳｃｒｉｐｔのようなプログラムコードを解析および実行可能な処理機構を有することができる。また、上記喫煙場所通知システムにおいて、前記地図情報提供システムは、前記地図を動的に操作可能に制御する複数の関数（ＡＰＩ：Application Program Interface）を提供し、前記ウェブページは、前記複数の関数を利用して作成することができる。さらに、上記喫煙場所通知システムにおいて、前記喫煙場所は、街頭の喫煙スペース、および喫煙可能飲食店を含むことができる。
【００１７】
本発明によれば、地図データベースと、
ユーザが操作する操作部、表示部および前記表示部によりウェブページを閲覧するウェブブラウザを備えるユーザ端末と、
地図上の所定位置にマーカを表示するための位置情報を含むウェブページを記憶するウェブサーバと、を備え、
前記地図データベースにアクセスし、所定領域の地図を含む前記ウェブページを前記ユーザ端末にネットワークを介して動的に提供する地図情報提供システムを用いた喫煙場所通知方法であって、
前記ウェブサーバが、前記地図上の所定位置として、複数の喫煙場所に前記マーカを表示するための位置情報を含む前記ウェブページを記憶し、
前記ユーザ端末から指定された所定領域の前記地図を含む前記ウェブページを前記ユーザ端末に提供し、
前記ユーザ端末において、前記表示部に前記ウェブブラウザが前記ウェブページを表示したとき、前記地図情報提供システムから動的に提供される所定領域の前記地図、および該地図上に複数の前記喫煙場所を示す前記マーカを含んで表示することを特徴とする喫煙場所通知方法が提供される。
【００１８】
以上、本発明の構成について説明したが、これらの各構成の任意の組合せや、本発明の表現を方法、装置、システム、記録媒体、コンピュータプログラムなどの間で変換したものもまた、本発明の態様として有効である。
【発明の効果】
【００１９】
本発明によれば、利用者に所望のエリア近郊の喫煙場所を簡単に通知でき、喫煙場所の利用効率を向上させるとともに、問合せに対する応対の手間を削減することができる喫煙場所通知システムが提供される。
【発明を実施するための最良の形態】
【００２０】
以下、本発明の実施の形態について、図面を用いて説明する。尚、すべての図面において、同様な構成要素には同様の符号を付し、適宜説明を省略する。
【００２１】
図１は、本発明の実施の形態に係る喫煙場所通知システム１の構成を示す概略ブロック図である。本実施形態の喫煙場所通知システム１は、地図データベース３と、ユーザが操作する操作部１２、表示部１４および表示部１４によりウェブページ（喫煙場所案内ページ２０）を閲覧するウェブブラウザ１８を備えるユーザ端末１０と、地図２２上の所定位置にマーカ２４を表示するための位置情報を含むウェブページ（喫煙場所案内ページ２０）を記憶するウェブサーバ３０と、を備え、地図データベース３にアクセスし、ウェブページ（喫煙場所案内ページ２０）に含まれる所定領域の地図２２をユーザ端末１０にネットワーク５を介して動的に提供する地図情報提供システム５０を用いた喫煙場所通知システム１であって、ウェブサーバ３０は、地図２２上の所定位置として、複数の喫煙場所にマーカ２４を表示するための位置情報を含むウェブページ（喫煙場所案内ページ２０）を記憶し、ユーザ端末１０において、表示部１４にウェブブラウザ１８がウェブページ（喫煙場所案内ページ２０）を表示したとき、地図情報提供システム５０から動的に提供される所定領域の地図２２、および該地図２２上に複数の喫煙場所を示すマーカ２４を含んで表示する。
【００２２】
ユーザ端末１０、ウェブサーバ３０、地図情報提供システム５０、およびウェブページ作成端末７０は、コンピュータあり、インターネットなどのネットワーク５を介して互いに接続されている。各装置の通信は、有線および無線のいずれでも良い。なお、図１において、本発明の本質に関わらない部分の構成については省略してあり、たとえば、ユーザ端末１０とウェブサーバ３０が互いに通信するために必要なＤＮＳサーバなどは図示されていない。
【００２３】
また、喫煙場所通知システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２４】
詳細には、ユーザ端末１０は、操作部１２と、表示部１４と、インタフェース部（Ｉ／Ｆ）１６と、ウェブブラウザ（図中、「ブラウザ」と示す）１８と、を含む。操作部１２は、キーボード、マウス、操作ボタン、トラックボール、タブレット、タッチパネル、あるいはマイクおよび音声認識装置などであり、ユーザの操作および指示を受け付ける。表示部１４は、ＣＲＴモニタ、液晶ディスプレイモニタ、プラズマディスプレイモニタなどである。インタフェース部１６は、インターネットなどのネットワーク５を介してウェブサーバ３０と通信を行う。
【００２５】
ウェブブラウザ１８は、インターネットエクスプローラ（Ｉｎｔｅｒｎｅｔ  Ｅｘｐｌｏｒｅｒ）（登録商標）、モジラファイヤーフォックス（Ｍｏｚｉｌｌａ  ＦｉｒｅＦｏｘ）（商標）などであり、ウェブサーバ３０からウェブページを読み込み、表示部１４に表示し、操作部１２の操作を受け付けるユーザインタフェース機能も有する。また、本実施形態において、ウェブブラウザ１８は、特に、ＪａｖａＳｃｒｉｐｔのようなプログラムコードを解析および実行可能な処理機構を有する。これにより、動的なコンテンツをユーザ端末１０で閲覧することが可能となる。
【００２６】
ウェブサーバ３０は、インタフェース部３２と、受信部３４と、ウェブページ記憶部（図中、「ウェブページ」と示す）３６と、マルチメディアデータ記憶部（図中、「マルチメディアデータ」と示す）３８と、送信部４０と、を含む。
【００２７】
インタフェース部３２は、ネットワーク５を介してユーザ端末１０およびウェブページ作成端末７０と通信する。受信部３４は、ユーザ端末１０からアップロードされた喫煙場所案内ページ２０を受信し、ウェブページ記憶部３６に格納する。ウェブページ記憶部３６は、ウェブページ作成端末７０からアップロードされたＨＴＭＬファイル１００を記憶する。このとき、後述するように喫煙場所案内ページ２０に含まれるアクセスキーを確認し、ウェブページの格納または地図の表示を地図情報提供システム５０が認証する。認証されたウェブページのみ格納または地図の表示が可能となる。なお、本実施形態において、喫煙場所とは、街頭に設置された喫煙スペースである。他の実施形態において、喫煙可能飲食店をさらに含むことができる。
【００２８】
マルチメディアデータ記憶部３８は、ウェブページ作成端末７０からアップロードされたウェブページにリンクされているマルチメディアデータを記憶する。マルチメディアデータとは、たとえば、静止画像、動画像、音声などを含むことができる。送信部４０は、ユーザ端末１０からの要求に応じて、所定の喫煙場所案内ページ２０をインタフェース部３２を介してユーザ端末１０に送信する。
【００２９】
地図情報提供システム５０は、インタフェース部５２と、キー発行部５４と、認証部５６と、ＡＰＩ記憶部（図中、「ＡＰＩ」と示す）５８と、提供部６０と、受付部６２と、検索部６４と、を含む。地図情報提供システム５０は、例として、Ｇｏｏｇｌｅ  Ｍａｐｓ  ＡＰＩを提供するグーグル社のＧｏｏｇｌｅ  Ｍａｐｓとすることができる。
【００３０】
インタフェース部５２は、ネットワーク５を介してユーザ端末１０、ウェブサーバ３０およびウェブページ作成端末７０と通信する。キー発行部５４は、ウェブページ作成端末７０からの要求に応じて、アクセスキーを発行し、ウェブページ作成端末７０にインタフェース部３２を介して送信する。キー発行部５４は、ウェブページ作成端末７０から申請に応じて、アクセスキーの発行を行い、ユーザ端末１０にアクセスキーを送信する。
【００３１】
認証部５６は、アップロードされたウェブページに含まれるアクセスキーの認証を行い、承認されたウェブページのみウェブサーバ３０のウェブページ記憶部３６への格納を許可する。なお、本実施形態では、アップロード時に認証を行う構成としたが、これに限定されない。たとえば、ウェブページがユーザ端末１０に提供される際に、送信部４０が認証部５６に認証の要求を行い、承認された場合のみ、ウェブページをユーザ端末１０に提供可能とすることもできる。
【００３２】
ＡＰＩ記憶部５８は、ユーザ端末１０に地図を動的に提供する複数の関数群であるＡＰＩを記憶する。提供部６０は、ユーザ端末１０がウェブページを閲覧する際、地図データベース３に記憶されている地図情報をユーザ端末１０にインタフェース部３２を介して動的に提供する。また、提供部６０は、ＡＰＩ記憶部５８に記憶されているＡＰＩをユーザ端末１０に提供し、ユーザ端末１０上での動的コンテンツを可能にする。
【００３３】
受付部６２は、ユーザ端末１０からインタフェース部３２を介してキーワードや操作指示を受け付ける。検索部６４は、受付部６２が受け付けたキーワードや操作指示に従って、地図データベース３にアクセスし、該当する地図情報を検索し、提供部６０に受け渡す。本実施形態において、後述するように、予め登録されている駅などのランドマークを基準としたリストを喫煙場所案内ページ２０が有する。検索部６４は、ユーザ端末１０にてリストから選択されたランドマークに対応する地図２２を地図データベース３から検索し、該当する地図情報を提供部６０に受け渡す。提供部６０では、検索部６４が検索した地図情報をユーザ端末１０に送信する。
【００３４】
ウェブページ作成端末７０は、操作部７２と、表示部７４と、インタフェース部（Ｉ／Ｆ）８０と、ウェブブラウザ８２と、エディタ９０と、ウェブページ記憶部（図中、「ウェブページ」と示す）９２と、マルチメディアデータ記憶部（図中、「マルチメディアデータ」と示す）９４と、転送部９６と、を含む。
【００３５】
操作部７２は、キーボード、マウス、操作ボタン、トラックボール、タブレット、タッチパネル、あるいはマイクおよび音声認識装置などであり、ユーザの操作および指示を受け付ける。表示部７４は、ＣＲＴモニタ、液晶ディスプレイモニタ、プラズマディスプレイモニタなどである。インタフェース部８０は、インターネットなどのネットワーク５を介してウェブサーバ３０と通信を行う。
【００３６】
ウェブブラウザ８２は、インターネットエクスプローラ（登録商標）、モジラファイヤーフォックス（商標）などであり、ウェブサーバ３０からウェブページを読み込み、表示部７４に表示し、操作部７２の操作を受け付けるユーザインタフェース機能も有する。また、本実施形態において、ウェブブラウザ８２は、特に、ＪａｖａＳｃｒｉｐｔのようなプログラムコードを解析および実行可能な処理機構を有する。これにより、動的なコンテンツをウェブページ作成端末７０で閲覧することが可能となる。本実施形態において、ウェブブラウザ８２を用いて、ユーザはウェブサーバ３０にアクセスキーを要求するとともに、ウェブサーバ３０から発行されたアクセスキーを受信する。
【００３７】
エディタ９０は、ウェブページのＨＴＭＬファイルを編集するためのツールや、ウェブページに含まれるマルチメディアデータを作成するためのツールを含む。ウェブページ記憶部９２は、エディタ９０で編集されたＨＴＭＬファイルを記憶する。マルチメディアデータ記憶部９４は、エディタ９０で作成されたマルチメディアデータを記憶する。転送部９６は、インタフェース部８０を介してウェブサーバ３０にＨＴＭＬファイルおよびマルチメディアデータをアップロードする。これにより、喫煙場所案内ページ２０がネットワーク５に公開されることとなる。ウェブページのＨＴＭＬファイル編集時、またはマルチメディアデータ編集時、エディタ９０は編集前のファイルおよびデータをインタフェース部８０を介して、ウェブサーバ送信部４０から受信し、ウェブページ記憶部９２およびマルチメディアデータ記憶部９４に記憶させることができる。
【００３８】
このように構成された本実施形態の喫煙場所通知システム１の動作について、以下に説明する。
【００３９】
図２は、本実施形態の喫煙場所通知システム１において、ウェブページ作成時の処理の一例を示すフローチャートである。はじめに、ウェブページ作成端末７０において、地図情報提供システム５０が提供するＡＰＩを利用するためのアカウント申請を行う。具体的には、ウェブページ作成端末７０にて、ウェブブラウザ８２を用いて地図情報提供システム５０の所定のウェブページにアクセスし、申請に必要な事項の入力を受け付け、ウェブページ作成端末７０から地図情報提供システム５０に対して申請要求を送信する（ステップＳ１１）。
【００４０】
そして、地図情報提供システム５０において、ウェブページ作成端末７０から申請に呼応して、キー発行部５４がアクセスキーの発行を行い、ウェブページ作成端末７０にアクセスキーを送信する。ウェブページ作成端末７０にて、ウェブブラウザ８２がアクセスキーを受信し、表示部７４に表示する（ステップＳ１３）。必要に応じて、ユーザは、アクセスキーをテキストファイル形式などで記憶部（不図示）に記憶し、ＨＴＭＬファイル１００を作成する際に利用する。
【００４１】
そして、ウェブページ作成端末７０において、ウェブページの作成を行う（ステップＳ１５）。本実施形態において、ウェブページはＨＴＭＬファイル形式で作成する。図３にＨＴＭＬファイル１００の構造の一例を示す。ここでは、発明の本質に関わる部分のみ示してある。図３に示すように、ＨＴＭＬファイル１００は、ヘッダ部１０２に地図データベース指定部１０４およびアクセスキー部１０６を有する。地図データベース指定部１０４には、ＨＴＭＬファイル１００によって記述されるウェブページに含まれる地図を提供する地図データベース３が指定される。アクセスキー部１０６には、ステップＳ１３で取得したアクセスキーが挿入される（図２のステップＳ２１）。
【００４２】
ＨＴＭＬファイル１００は、デフォルト地図位置指定部１０８、マーカ位置指定部１１０、およびマーカ対応情報・マルチメディアデータ指定部１１２を含み、これらは、ウェブページ作成端末７０から提供されるＡＰＩを含むＪａｖａＳｃｒｉｐｔのようなプログラムコードで記述することができる。これにより、ユーザ端末１０において、動的コンテンツの閲覧が可能となる。
【００４３】
そして、ウェブページにてデフォルト表示する地図の位置情報および縮尺を設定し（ステップＳ２３）、図３のデフォルト地図位置指定部１０８に記述する。さらに、ウェブページに表示させたい複数の喫煙場所のマーカ位置情報を挿入する（ステップＳ２５）。図３のＨＴＭＬファイル１００のマーカ位置指定部１１０にマーカ位置情報を記述する。喫煙場所の位置情報は、たとえば、緯度および経度で示される。なお、マーカの形状は、デフォルトの形状の他、予め準備した画像を用いることもできる。
【００４４】
さらに、各喫煙場所の情報、たとえば、名称、アクセス方法、最寄り駅情報、喫煙場所が飲食店内などである場合、喫煙可能時間、あるいは開店閉店時刻、飲食店のホームページのＵＲＬアドレスなどと、各喫煙場所を撮影した画像を含むマルチメディアデータ、特に、ユーザにとって喫煙場所が未知の場合でも喫煙場所にたどり着くことができるように、目印となる建物などを含むように撮影された画像を含むマルチメディアデータのファイル名を挿入する（ステップＳ２７）。図３のＨＴＭＬファイル１００のマーカ対応情報・マルチメディアデータ指定部１１２に各マーカに関連付けられた情報およびマルチメディアデータのファイル名を記述する。
【００４５】
このようにして、ウェブページが作成され、ウェブページ記憶部９２に記憶される。また、別途作成されたマルチメディアデータファイルもマルチメディアデータ記憶部９４に記憶される。そして、転送部９６がウェブページ記憶部９２およびマルチメディアデータ記憶部９４にそれぞれ記憶されているＨＴＭＬファイルおよびマルチメディアデータファイルをウェブサーバ３０にアップロードする（ステップＳ３１）。
【００４６】
ウェブサーバ３０において、受信部３４がＨＴＭＬファイルおよびマルチメディアデータファイルを受信する。このとき、地図情報提供システム５０に対してＨＴＭＬファイル１００に含まれるアクセスキーが送信され、認証部５６がアクセスキーの認証を行う。アクセスキーが承認された場合（ステップＳ３３のＹＥＳ）、ウェブサーバ３０において、受信部３４が受信したファイルをウェブページ記憶部３６およびマルチメディアデータ記憶部３８にそれぞれ記憶し、本処理を終了する。承認されなかった場合（ステップＳ３３のＮＯ）、認証部５６は、エラーメッセージをウェブページ作成端末７０に送信し（ステップＳ３７）、本処理を終了する。
【００４７】
次に、このようにして作成されたウェブページをユーザ端末１０にて閲覧する場合について、以下に説明する。図４は、ウェブページ閲覧時の処理の一例を示すフローチャートである。
【００４８】
まず、ユーザ端末１０において、喫煙場所通知システム１が提供するウェブページを指定するためのＵＲＬアドレスをユーザが入力し、ウェブブラウザ１８にて受け付け、指定されたＵＲＬアドレスのウェブサーバ３０に対してウェブページのダウンロード要求を送信する（ステップＳ５１）。ウェブサーバ３０から指定されたＵＲＬアドレスに格納されているＨＴＭＬファイルおよびマルチメディアデータファイルがユーザ端末１０にダウンロードされる（ステップＳ５３）。そして、ユーザ端末１０において、ウェブブラウザ１８上に、喫煙場所案内ページ２０が表示される。同時に、喫煙場所案内ページ２０に含まれる地図２２を地図情報提供システム５０に対して要求し、地図情報提供システム５０において、検索部６４が対応する地図データを取得し、提供部６０がユーザ端末１０に提供する（ステップＳ５５）。
【００４９】
具体的には、図５に示される広域地図画面２００が表示部１４に表示される。図５に示すように広域地図画面２００は、例として首都圏に設置されている複数の喫煙場所を示すマーカ２０２が表示されている。さらに、広域地図画面２００は、表示される地図の地域を移動する指示を受け付ける移動ボタン２０４と、表示されている地図を拡大する指示を受け付ける拡大ボタン２０６と、表示されている地図を拡大または縮小する指示を受け付ける拡大／縮小スライダ２０８と、表示されている地図を縮小する指示を受け付ける縮小ボタン２１０と、地図形式の表示に切り換える指示を受け付けるマップボタン２１２と、衛星写真形式の表示に切り換える指示を受け付ける衛星ボタン２１４と、表示地図の地域を選択する指示を受け付ける地域選択ボタン２１６と、を含む。
【００５０】
上述の各種操作ボタンは、地図情報提供システム５０のＡＰＩとして提供されており、喫煙場所案内ページ２０作成時に、これらのＡＰＩをＨＴＭＬファイル１００に記述することによって表示させ、操作に応じて動作させることができる。
【００５１】
広域地図画面２００では、表示されている地域が広範囲に亘り、喫煙場所を示すマーカ２０２も多数存在する。ユーザが目的の地域へ容易にかつ的確に地図を移動可能なように、地域選択ボタン２１６によって地域を選択し、地域毎の地図を表示させることができる。
【００５２】
図６は、図５で「東京都」が選択され、さらに、東京都の「新宿区」および「新宿駅西口前」が選択されたときに、エリア別拡大画面３００の一例を示す図である。エリア別拡大画面３００は、ふきだし表示部３０２を含み、ふきだし表示部３０２には、喫煙場所を撮影した画像３０４と、喫煙場所の情報３０６と、ふきだしを閉じる指示を受け付ける閉じるボタン３０８と、が含まれる。図６では、目印となる最寄り駅や施設などのランドマーク毎に複数の喫煙場所の名称がエリア別拡大画面３００の右側にリストアップされている。リスト中の各喫煙場所の名称は、対応するマーカ２０２とリンク３１０していて、名称を操作することで、マーカ２０２のふきだし表示部３０２が表示されるようになっている。なお、上記の広域地図画面２００においても、マーカ２０２を操作することで、上述のふきだし表示部３０２を表示させることができる。
【００５３】
以上説明したように、本実施形態の喫煙場所通知システム１によれば、動的に表示される地図上に喫煙場所を示すマーカを表示させるコンテンツを容易にウェブ上で公開することができ、利用者に所望のエリア近郊の喫煙場所を簡単に通知でき、喫煙場所の利用効率を向上させるとともに、問合せに対する応対の手間を削減することができる。
【００５４】
以上、図面を参照して本発明の実施形態について述べたが、これらは本発明の例示であり、上記以外の様々な構成を採用することもできる。
【００５５】
たとえば、喫煙場所通知システム１において、ウェブページ記憶部３６に記憶されるウェブページ（喫煙場所案内ページ２０）は、所定のランドマークの指定を受け付けるための記述を含むことができ、地図情報提供システム５０は、ユーザ端末１０においてランドマークが指定されたとき、指定されたランドマークに該当する領域の地図２２を地図データベース３から検索する検索部６４を含むことができ、地図情報提供システム５０は、検索された地図２２を含むウェブページ（喫煙場所案内ページ２０）をユーザ端末１０に提供することができる。この構成によれば、目印となる最寄り駅や施設、店舗、地名、地形などをランドマークとして、喫煙場所を検索することができる。
【００５６】
あるいは、喫煙場所通知システム１において、ウェブページ記憶部３６に記憶されるウェブページ（喫煙場所案内ページ２０）は、複数の喫煙場所を検索するためのキーワードの入力を受け付けるための記述を含むことができ、地図情報提供システム５０は、ユーザ端末１０においてユーザが操作部１２を用いてキーワードを入力したとき、入力されたキーワードに基づいて該当する領域の地図２２を地図データベース３から検索する検索部６４を含むことができ、地図情報提供システム５０は、検索された地図２２を含むウェブページ（喫煙場所案内ページ２０）をユーザ端末１０に提供することができる。この構成によれば、任意のキーワードに基づいて、喫煙場所を検索することができる。
【図面の簡単な説明】
【００５７】
【図１】本発明の実施の形態に係る喫煙場所通知システムの構成を示す概略ブロック図である。
【図２】図１の喫煙場所通知システムにおいて、ウェブページ作成時の処理の一例を示すフローチャートである。
【図３】図１の喫煙場所通知システムにおいて、喫煙場所を通知する地図を表示するＨＴＭＬファイルの構造の一例を示す図である。
【図４】図１の喫煙場所通知システムにおいて、ウェブページ閲覧時の処理の一例を示すフローチャートである。
【図５】広域地図上に複数の喫煙場所を示す表示画面の例を示す図である。
【図６】各喫煙場所に対応する情報を示す表示画面の例を示す図である。
【符号の説明】
【００５８】
１  喫煙場所通知システム
３  地図データベース
５  ネットワーク
１０  ユーザ端末
１２  操作部
１４  表示部
１６  インタフェース部
１８  ウェブブラウザ
２０  喫煙場所案内ページ
２２  地図
２４  マーカ
３０  ウェブサーバ
３２  インタフェース部
３４  受信部
３６  ウェブページ記憶部
３８  マルチメディアデータ記憶部
４０  送信部
５０  地図情報提供システム
５２  インタフェース部
５４  キー発行部
５６  認証部
５８  ＡＰＩ記憶部
６０  提供部
６２  受付部
６４  検索部
７０  ウェブページ作成端末
７２  操作部
７４  表示部
８０  インタフェース部
８２  ウェブブラウザ
９０  エディタ
９２  ウェブページ記憶部
９４  マルチメディアデータ記憶部
９６  転送部
１００  ＨＴＭＬファイル
１０２  ヘッダ部
１０４  地図データベース指定部
１０６  アクセスキー部
１０８  デフォルト地図位置指定部
１１０  マーカ位置指定部
１１２  マーカ対応情報・マルチメディアデータ指定部
２００  広域地図画面
２０２  マーカ
２０４  移動ボタン
２０６  拡大ボタン
２０８  拡大／縮小スライダ
２１０  縮小ボタン
２１２  マップボタン
２１４  衛星ボタン
２１６  地域選択ボタン
３００  エリア別拡大画面
３０２  ふきだし表示部
３０４  画像
３０６  情報
３１０  リンク
【図１】
2008064932.tif 000003
【図２】
2008064932.tif 000004
【図３】
2008064932.tif 000005
【図４】
2008064932.tif 000006
【図５】
2008064932.tif 000007
【図６】
2008064932.tif 000008